(57)【要約】【課題】装置の奥行き寸法を小さくすることができるカード用コネクタ装置の提供。【解決手段】カード１を排出方向へ押し出すスライド部材８と、このスライド部材８を排出方向へ付勢する付勢部材１５と、前端部１７の隅部に切り欠き２を有するカード１が所定の装着位置に至ったとき、摺動部材９とハート型カム溝１１を含みスライド部材８をロックするロック機構とを備えるとともに、カード１が所定の装着位置に保持されたとき、カード１の切り欠き２によって形成される空間２０内に、ロック機構の少なくとも一部が位置するように、ロック機構を配置した構成にしてある。【選択図】      図７
2004185817.tif 000002
【特許請求の範囲】
【請求項１】
前端部の隅部に切り欠きを有するカードが接続されるものであって、
カード挿抜方向に移動可能に設けられ、上記カードを排出方向へ押し出すスライド部材と、このスライド部材を排出方向へ付勢する付勢部材と、上記カードが所定の装着位置に至ったとき、上記スライド部材を上記付勢部材の付勢力に抗してロックするロック機構とを備えるとともに、
上記カードが所定の装着位置に保持されたとき、上記カードの上記切り欠きによって形成される空間内に、上記ロック機構の少なくとも一部が位置するように、上記ロック機構を配置したことを特徴とするカード用コネクタ装置。
【請求項２】
上記請求項１記載の発明において、
上記ロック機構が、上記スライド部材に一端が連結され、他端にピンを有する摺動部材と、この摺動部材の上記ピンが係合するハート型カム溝とから成ることを特徴とするカード用コネクタ装置。
【請求項３】
上記請求項２記載の発明において、
上記付勢部材を、上記ハート型カム溝の側方に配置したことを特徴とするカード用コネクタ装置。
【請求項４】
前端部の隅部に切り欠きを有するカードが接続されるものであって、
カード挿抜方向に移動可能に設けられ、上記カードを排出方向へ押し出すスライド部材と、このスライド部材を排出方向へ付勢する付勢部材と、上記カードが所定の装着位置に至ったとき、上記スライド部材を上記付勢部材の付勢力に抗してロックするロック機構とを備えるとともに、
上記カードが所定の装着位置に保持されたとき、上記カードの上記切り欠きによって形成される空間内に、上記付勢部材の少なくとも一部が位置するように、上記付勢部材を配置したことを特徴とするカード用コネクタ装置。
【請求項５】
上記請求項４記載の発明において、
上記スライド部材が、上記カードの上記切り欠きを押圧する押圧部を有するとともに、上記付勢部材を、上記スライド部材の上記押圧部を付勢するように配置したことを特徴とするカード用コネクタ装置。
【発明の詳細な説明】
【０００１】
【発明の属する技術分野】
本発明は、前端部の隅部に切り欠きを有し、情報記憶機能を有するカードが接続されるカード用コネクタ装置に関する。
【０００２】
【従来の技術】
この種の従来技術として、カード挿抜方向に移動可能に設けられ、カードを排出方向にスライドさせるプッシュレバーすなわちスライド部材と、このスライド部材を排出方向へ付勢するコイルバネすなわち付勢部材と、カードが所定の装着位置に至ったとき、スライド部材をロックするロック機構とを備えたものがある。上述したロック機構と付勢部材とは、カード挿抜方向に沿う同一直線上に位置し、ロック機構はカード挿入口側に配置され、付勢部材は装置の奥側に配置されている（例えば、特許文献１参照。）。
【０００３】
【特許文献１】
特開２０００−２５１０２４
（段落番号００４０〜００４８、図６〜図１０）
【０００４】
【発明が解決しようとする課題】
昨今、携帯電話等のようにカードを接続可能にする機器では、より小型のものが求められている。これに伴って、該当する機器内に収納されるカード用コネクタ装置も小型化が要望されている。
【０００５】
しかしながら、上述した従来技術では、カード挿抜方向に沿って一直線上にロック機構と付勢部材とが配置されることから、全体の奥行き寸法が大きく、したがって、小型化を実現することが困難であった。
【０００６】
本発明は、上記した従来技術における実状からなされたもので、その目的は、装置の奥行き寸法を小さくすることができるカード用コネクタ装置を提供することにある。
【０００７】
【課題を解決するための手段】
上記目的を達成するために、本発明は、前端部の隅部に切り欠きを有するカードが接続されるものであって、カード挿抜方向に移動可能に設けられ、上記カードを排出方向へ押し出すスライド部材と、このスライド部材を排出方向へ付勢する付勢部材と、上記カードが所定の装着位置に至ったとき、上記スライド部材を上記付勢部材の付勢力に抗してロックするロック機構とを備えるとともに、上記カードが所定の装着位置に保持されたとき、上記カードの上記切り欠きによって形成される空間内に、上記ロック機構の少なくとも一部が位置するように、上記ロック機構を配置したことを特徴としている。
【０００８】
このように構成した本発明は、上記カードが所定の装着位置に保持されたとき、カードの切り欠きによって形成される空間内にロック機構の少なくとも一部が位置することから、このロック機構の近傍に付勢部材を配置することが可能になる。すなわち、ロック機構と付勢部材の双方を、装置の奥側に配置できる。これによって従来の装置における手前側の部分を除去した形状に相当するものとすることができ、装置の奥行き寸法を小さく設定することができる。
【０００９】
また本発明は、上記発明において、上記ロック機構が、上記スライド部材に一端が連結され、他端にピンを有する摺動部材と、この摺動部材の上記ピンが係合するハート型カム溝とから成ることを特徴としている。
【００１０】
このように構成した本発明は、ピンを有する摺動部材とハート型カム溝とによってプッシュ・プッシュタイプのロック機構を形成でき、カードの挿入、排出をスムーズに実施することができる。
【００１１】
また本発明は、上記発明において、上記付勢部材を、上記ハート型カム溝の側方に配置したことを特徴としている。
【００１２】
このように構成した本発明は、ロック機構を形成するハート型カム溝と付勢部材とが並設され、しかもハート型カム溝の少なくとも一部が、カードの切り欠きによって形成される空間内に位置することから、カード挿抜方向に直交する横方向の寸法が大きくなることを抑制することができる。
【００１３】
また本発明は、前端部の隅部に切り欠きを有するカードが接続されるものであって、カード挿抜方向に移動可能に設けられ、上記カードを排出方向へ押し出すスライド部材と、このスライド部材を排出方向へ付勢する付勢部材と、上記カードが所定の装着位置に至ったとき、上記スライド部材を上記付勢部材の付勢力に抗してロックするロック機構とを備えるとともに、上記カードが所定の装着位置に保持されたとき、上記カードの上記切り欠きによって形成される空間内に、上記付勢部材の少なくとも一部が位置するように、上記付勢部材を配置したことを特徴としている。
【００１４】
このように構成した本発明は、上記カードが所定の装着位置に保持されたとき、カードの切り欠きによって形成される空間内に付勢部材の少なくとも一部が位置することから、この付勢部材の近傍にロック機構を配置することが可能になる。すなわち、付勢部材とロック機構の双方を、装置の奥側に配置できる。これによって従来の装置における手前側の部分を除去した形状に相当するものとすることができ、装置の奥行き寸法を小さく設定することができる。
【００１５】
また本発明は、上記発明において、上記スライド部材が、上記カードの上記切り欠きを押圧する押圧部を有するとともに、上記付勢部材を、上記スライド部材の上記押圧部を付勢するように配置したことを特徴としている。
【００１６】
このように構成した本発明は、カードの排出時、付勢部材による付勢力が、カードの切り欠きを押圧するスライド部材の押圧部に伝えられるので、すなわち付勢部材の付勢力の付勢方向にカードの一部が位置しているので、スライド部材の押圧部を介して、このスライド部材を円滑に移動させながらカードをスムーズに排出させることができる。
【００１７】
【発明の実施の形態】
以下、本発明に係るカード用コネクタ装置の実施形態を図に基づいて説明する。図１は本発明のカード用コネクタ装置の一実施形態で使用されるカードの一例を示す図で、（ａ）図は平面図、（ｂ）図は裏面図、（ｃ）図は正面図である。
【００１８】
図１に示すカード１は、情報記憶機能を有するカードであり、（ａ）図に示すように、前端部１７の隅部に傾斜部２ａを含む切り欠き２を有し、（ｂ）図に示すように、裏面に外部信号系統との信号の送受信を実施させる接続部材３を備えている。
【００１９】
図２は本発明の一実施形態を示す図で、（ａ）図は平面図、（ｂ）図は側面図、（ｃ）図は正面図、図３は本発明の一実施形態において蓋部を除いた状態を示す図である。
【００２０】
本実施形態は、図２の（ｃ）図に示すように、本体を形成する基台４と、この基台４を覆うように設けられる蓋部５とを備え、これらの基台４と蓋部５とによって図１に示すカード１が収納される収納部６を形成させてある。また、装置の奥側位置にはカード１の接続部材３が接触する端子部材７を設けてある。
【００２１】
蓋部５を除いた図３に示すように、例えば左側端部付近には、カード挿抜方向に移動可能に設けられ、カード１を排出方向へ押し出すスライド部材８を備えている。このスライド部材８は、カード１の切り欠き２に含まれる傾斜部２ａを押圧する押圧部８ａを有する。
【００２２】
また、スライド部材８を排出方向へ、すなわちカード挿入口１６方向へ付勢する例えばコイルばねから成る付勢部材１５を備えている。
【００２３】
さらに、カード１が所定の装着位置に至ったとき、スライド部材８を付勢部材１５の付勢力に抗してロックするロック機構を備えている。このロック機構は、例えばスライド部材８に一端が揺動可能に連結され、他端にピン１０を有する摺動部材９と、この摺動部材９のピン１０が係合するハート型カム溝１１とから成っている。
【００２４】
ハート型カム溝１１は、例えば基台４に一体的に設けてあり、往路１２と、復路１３と、これらの往路１２と復路１３の境界部に位置し、摺動部材９のピン１０が係止されるロック部１４とを含んでいる。
【００２５】
本実施形態は特に、後述する図７に示すように、カード１が所定の装着位置に保持されたとき、カード１の切り欠き２によって構成される空間２０内に、ロック機構の少なくとも一部、例えばハート型カム溝１１の主要部が位置するように、このロック機構を配置してある。すなわち、ロック機構の側方に付勢部材１５を並べて配置し、この付勢部材１５を基台４の左側端部付近に配置してある。
【００２６】
［カード１の挿入操作］
上述のように構成した本実施形態におけるカード１の挿入操作について以下に説明する。
【００２７】
図４は本実施形態に図１に示すカード１が差し込まれた挿入開始時を示す平面図である。
【００２８】
この図４に示すように、図３に示す状態からカード１がカード挿入口１６から差し込まれる。なおこのとき、スライド部材８は付勢部材１５の付勢力によりカード挿入口１６付近に位置する状態に保たれている。
【００２９】
図５は図４に示す状態からカード１が押し込まれた挿入途中の状態を示す平面図である。
【００３０】
カード１が押し込まれると、カード１の切り欠き２の傾斜部２ａがスライド部材８の押圧部８ａに対向する状態となり、やがて切り欠き２の傾斜部２ａがスライド部材８の押圧部８ａに係合する。カード１に対する押し込み力によりスライド部材８が付勢部材１５の付勢力に抗して装置奥側に向って移動を開始する。また、このスライド部材８の移動に伴って、摺動部材９のピン１０がハート型カム溝１１の往路１２上の摺動を開始する。
【００３１】
図６は図５に示す状態からカード１がさらに押し込まれ、カード１の前端部１７が基台４の後部壁１８に当った状態を示す平面図である。
【００３２】
このとき、付勢部材１５はスライド部材８によって最も収縮した状態となり、カード１は所定の装着位置を越えて装置奥側まで押し込まれた状態となる。
【００３３】
図７はカード１が所定の装着位置に保持された状態を示す平面図である。
【００３４】
前述した図６に示す状態からカード１に与えていた押圧力を解くと、付勢部材１５の付勢力によりスライド部材８がわずかながらカード挿入口１６方向に押し戻される。このときスライド部材８と一体的に移動する摺動部材９のピン１０がハート型カム溝１１の往路１２からロック部１４へと導かれ、このロック部１４において係止される。すなわち、カード１が所定の装着位置に保持されるとともに、スライド部材８が付勢部材１５の付勢力に抗してロックされる。
【００３５】
この所定の装着位置において、カード１の接続部材３が端子部材７に接触し、この端子部材７を介してカード１に対する信号の送受信が可能となる。
【００３６】
［カード１の排出］
カード１の排出に際しては、図７に示す状態からカード１を再び押す操作がおこなわれる。すなわち、前述したようにカード１の挿入時に図１のカード１がプッシュされ、排出時に再びカード１がプッシュされる。
【００３７】
この排出時のカード１の押し操作により、カード１の切り欠き８の傾斜部８ａによってスライド部材８の押圧部８ａが装置奥側に移動する。すなわち、スライド部材８が付勢部材１５の付勢力に抗して再び装置奥側に向って移動する。このとき、スライド部材８と一体的に摺動する摺動部材９のピン１０はハート型カム溝１１のロック部１４から復路１３に導かれ、スライド部材８に対するロックが解除される。この状態でカード１に対する押圧力を解くと、付勢部材１５の付勢力によってスライド部材８が排出方向へ移動し、押圧部８ａを介してカード１が排出される。このカード１の排出時には、前述した図５に示す状態とほぼ同じ状態となる。この状態においてカード１を取り出すことができる。
【００３８】
このように構成した本実施形態では、図７に示すように、カード１が所定の装着位置に保持されたとき、カード１の切り欠き２によって形成される空間２０内に、ロック機構の少なくとも一部、例えばハート型カム溝１１の主要部が位置することから、このロック機構の近傍に付勢部材１５を配置できる。すなわち、ハート型カム溝１１と摺動部材９を含むロック機構と、付勢部材１５の双方を並べて装置の奥側に配置することができる。これによって、従来の装置における手前側の部分を除去した形状に相当するものとすることができ、装置の奥行き寸法を小さく設定することができる。したがって、装置の小型化を実現させることができ、本実施形態が装備される携帯電話等の機器の小型化に貢献する。
【００３９】
また本実施形態は、ピン１０を有する摺動部材９とハート型カム溝１１とによってプッシュ・プッシュタイプのロック機構を形成でき、カード１の挿入、排出をスムーズに実施することができ、カード１に対する良好な操作性を確保できる。
【００４０】
また上述したように、ロック機構を形成するハート型カム溝１１と付勢部材１５とが並設され、しかもカード１が所定の装着位置に保持されたとき、ハート型カム溝１１の主要部が、カード１の切り欠き２によって形成される空間２０内に位置する。これにより、カード挿抜方向に直交する横方向の寸法が大きくなることを抑制でき、装置の小型化の実現に貢献する。
【００４１】
図８は本発明の別の実施形態を示す平面図である。
【００４２】
この別の実施形態は、ピン１０を含む摺動部材９とハート型カム溝１１を含むロック機構と、付勢部材１５の配置関係を前述した実施形態とは異ならせてある。すなわち、この別の実施形態は、カード１が所定の装着位置に保持されたとき、カード１の切り欠き２によって形成される空間内に、付勢部材１５の少なくとも一部が位置するように、付勢部材１５を配置してある。また付勢部材１５をスライド部材８の押圧部８ａを付勢するように配置してある。
【００４３】
ピン１０を含む摺動部材９とハート型カム溝１１から成るロック機構は、付勢部材１５に並べて配置してあるものの、基台４の左側端部付近に位置させてある。その他の構成は前述した実施形態と同等である。
【００４４】
この図８に示すように構成した別の実施形態は、図７に示すように、カード１が所定の装着位置に保持されたとき、カード１の切り欠き２によって形成される空間２０内に付勢部材１５の少なくとも一部が位置することから、付勢部材１５の近傍にロック機構を配置できる。すなわち、同図８に示すように付勢部材１５とロック機構の双方を並べて装置の奥側に配置することができる。これによって前述した実施形態と同様に、従来の装置における手前側の部分を除去した形状に相当するものとすることができ、装置の奥行き寸法を小さく設定することができる。したがって、装置の小型化を実現させることができ、この別の実施形態が装備される携帯電話等の機器の小型化の実現に貢献する。
【００４５】
また特に、カード１の排出時、付勢部材１５による付勢力が、カード１の切り欠き８を押圧するスライド部材８の押圧部８ａに伝えられる。すなわち、付勢部材１５の付勢力の付勢方向にカード１の一部が位置している。これにより、スライド部材８の押圧部８ａを介してこのスライド部材８を円滑に移動させながらカード１をスムーズに排出させることができ、優れたカード排出操作を実現できる。
【００４６】
【発明の効果】
以上のように本発明は、カードが所定の装着位置に保持されたとき、カードの切り欠きによって形成される空間内にロック機構の少なくとも一部が位置するように、ロック機構を配置した構成にしてある。これにより、ロック機構と付勢部材の双方を装置の奥側に配置でき、従来の装置における手前側の部分を除去した形状に相当するものとすることができる。したがって、装置の奥行き寸法を小さく設定することができ、装置の小型化を実現でき、本発明が装備される携帯電話等の機器の小型化の実現に貢献する。
【００４７】
また本発明は、ロック機構を、ピンを有する摺動部材とハート型カム溝から成る構成にしてある。これによりプッシュ・プッシュタイプのロック機構を形成でき、カードの挿入、排出がスムーズになり、カードに対する良好な操作性を確保できる。
【００４８】
また本発明は、付勢部材をハート型カム溝の側方に配置した構成にしてある。これによりカード挿抜方向に直交する横方向の寸法が大きくなることを抑制でき、装置の小型化の実現に貢献する。
【００４９】
また本発明は、カードが所定の装着位置に保持されたとき、カードの切り欠きによって形成される空間内に付勢部材の少なくとも一部が位置するように、付勢部材を配置した構成にしてある。これにより、付勢部材とロック機構の双方を装置の奥側に配置でき、従来の装置における手前側の部分を除去した形状に相当するものとすることができる。したがって、装置の奥行き寸法を小さく設定することができ、装置の小型化を実現でき、本発明が装備される携帯電話等の機器の小型化の実現に貢献する。
【００５０】
また本発明は、スライド部材がカードの切り欠きを押圧する押圧部を有するとともに、付勢部材をスライド部材の押圧部を付勢するように配置した構成にしてある。これにより、スライド部材を円滑に移動させながらカードをスムーズに排出させることができ、優れたカード排出操作を実現できる。
【図面の簡単な説明】
【図１】本発明のカード用コネクタ装置の一実施形態で使用されるカードの一例を示す図で、（ａ）図は平面図、（ｂ）図は裏面図、（ｃ）図は正面図である。
【図２】本発明の一実施形態を示す図で、（ａ）図は平面図、（ｂ）図は側面図、（ｃ）図は正面図である。
【図３】本発明の一実施形態において蓋部を除いた状態を示す平面図である。
【図４】本発明の一実施形態に図１に示すカードが差し込まれた挿入開始時を示す平面図である。
【図５】図４に示す状態からカードが押し込まれた挿入途中の状態を示す平面図である。
【図６】図５に示す状態からカードがさらに押し込まれ、カードの前端部が本発明の一実施形態に備えられる基台の後部壁に当った状態を示す平面図である。
【図７】カードが所定の装着位置に保持された状態を示す平面図である。
【図８】本発明の他の実施形態を示す平面図である。
【符号の説明】
１    カード
２    切り欠き
２ａ  傾斜部
３    接続部材
４    基台
５    蓋部
６    収納部
７    端子部材
８    スライド部材
８ａ  押圧部
９    摺動部材（ロック機構）
１０  ピン
１１  ハート型カム溝（ロック機構）
１２  往路
１３  復路
１４  ロック部
１５  付勢部材
１６  カード挿入口
１７  前端部
１８  後部壁
２０  空間
【図１】
2004185817.tif 000003
【図２】
2004185817.tif 000004
【図３】
2004185817.tif 000005
【図４】
2004185817.tif 000006
【図５】
2004185817.tif 000007
【図６】
2004185817.tif 000008
【図７】
2004185817.tif 000009
【図８】
2004185817.tif 000010